(57)【要約】【課題】  複数のアンテナを有する携帯電話機などの携帯通信端末において、通信開始時や通信中などに、複数のアンテナのうちの一つを選択する高速のアンテナ選択制御方式を得る。【解決手段】  装置のイベント発生時、例えば、発着信開始時における共通チャネルや個別チャネルの設定直後に、複数のアンテナ１，２の受信状態情報を示すＲＳＳＩ値（８）を用いて、ＲＳＳＩ値が大なる方のアンテナを、アンテナ選択制御部１３で選択する。また、個別チャネルによる通信中の同期はずれに応答して、アンテナ１，２のＲＳＳＩ値に基づきアンテナ選択をなす。更に、共通チャネルによる通信中のアンテナ１，２のＲＳＳＩ値に基づき選択をなす。【選択図】      図１                                                  
2005151369.tif 000002
【特許請求の範囲】
【請求項１】
複数のアンテナを有する無線通信装置におけるアンテナ選択システムであって、前記装置におけるイベントの発生に応答して、前記複数のアンテナの受信特性情報に基づいてアンテナ選択制御をなす手段を含むことを特徴とするアンテナ選択システム。
【請求項２】
前記受信状態情報は受信電界強度情報であることを特徴とする請求項１記載のアンテナ選択システム。
【請求項３】
前記イベントの発生は発着信の発生であることを特徴とする請求項１または２記載のアンテナ選択システム。
【請求項４】
前記イベントの発生は前記発着信の発生に基づく共通チャネルまたは個別チャネルの設定開始であることを特徴とする請求項３記載のアンテナ選択システム。
【請求項５】
前記イベントの発生は受信待機状態の発生であり、前記受信待機状態の間、前記手段は、周期的に前記アンテナ選択制御をなすことを特徴とする請求項１または２記載のアンテナ選択システム。
【請求項６】
前記手段は、当該動作開始直前に選択されていた第一のアンテナ以外の第二のアンテナに切替えた後前記第一のアンテナに切替える切替手段と、前記切替手段による切替後の前記第一及び第二の受信電界強度情報に基づいてアンテナ選択をなす手段とを有することを特徴とする請求項３〜５いずれか記載のアンテナ選択システム。
【請求項７】
前記イベントの発生は通信中の同期はずれの発生であることを特徴とする請求項１または２記載のアンテナ選択システム。
【請求項８】
前記同期はずれは個別チャネルによる通信中の同期はずれであることを特徴とする請求項７記載のアンテナ選択システム。
【請求項９】
複数のアンテナを有する無線通信装置におけるアンテナ選択システムであって、共通チャネルによる通信中における前記複数のアンテナの受信特性情報に基づいてアンテナ選択制御をなす手段を含むことを特徴とするアンテナ選択システム。
【請求項１０】
前記共通チャネルにおけるデータ無受信の状態が所定時間経過した後に、前記アンテナ選択制御動作をなすことを特徴とする請求項９記載のアンテナ選択システム。
【請求項１１】
前記手段は、当該動作開始直前に選択されていた第一のアンテナ以外の第二のアンテナに切替える切替手段と、前記切替手段による切替直前の前記第一アンテナの受信電界強度情報及び前記切替手段による切替後の前記第二のアンテナの受信電界強度情報に基づいてアンテナ選択をなす手段とを有することを特徴とする請求項７〜１０いずれか記載のアンテナ選択システム。
【請求項１２】
請求項１〜１１いずれか記載のアンテナ選択システムを有することを特徴とする無線通信装置。
【請求項１３】
Ｗ−ＣＤＭＡ通信方式を採用した携帯情報端末であることを特徴する請求項１２記載の無線通信装置。
【請求項１４】
複数のアンテナを有する無線通信装置におけるアンテナ選択方法であって、前記装置におけるイベントの発生に応答して、前記複数のアンテナの受信特性情報に基づいてアンテナ選択制御をなすステップを含むことを特徴とするアンテナ選択方法。
【請求項１５】
前記受信特性情報は受信電界強度情報であることを特徴とする請求項１４記載のアンテナ選択方法。
【請求項１６】
前記イベントの発生は発着信の発生であることを特徴とする請求項１４または１５記載のアンテナ選択方法。
【請求項１７】
前記イベントの発生は前記発着信の発生に基づく共通チャネルまたは個別チャネルの設定開始であることを特徴とする請求項１６記載のアンテナ選択方法。
【請求項１８】
前記イベントの発生は受信待機状態の発生であり、前記受信待機状態の間、前記ステップは、周期的に前記アンテナ選択制御をなすことを特徴とする請求項１４または１５記載のアンテナ選択方法。
【請求項１９】
前記ステップは、当該動作開始直前に選択されていた第一のアンテナ以外の第二のアンテナに切替えた後前記第一のアンテナに切替える切替ステップと、前記切替ステップによる切替後の前記第一及び第二の受信電界強度情報に基づいてアンテナ選択をなすステップとを有することを特徴とする請求項１６〜１８記載のアンテナ選択方法。
【請求項２０】
前記イベントの発生は、通信中の同期はずれの発生であることを特徴とする請求項１４または１５記載のアンテナ選択方法。
【請求項２１】
前記同期はずれは、個別チャネルによる通信中の同期はずれであることを特徴とする請求項２０記載のアンテナ選択方法。
【請求項２２】
複数のアンテナを有する無線通信装置におけるアンテナ選択方法であって、共通チャネルによる通信中における前記複数のアンテナの受信特性に応じてアンテナ選択制御をなすステップ含むことを特徴とするアンテナ選択方法。
【請求項２３】
共通チャネルによるデータ無受信の状態が所定時間経過した後に、前記アンテナ選択制御動作をなすことを特徴とする請求項２２記載のアンテナ選択方法。
【請求項２４】
前記ステップは、当該動作開始直前に選択されていた第一のアンテナ以外の第二のアンテナに切替える切替ステップと、前記切替ステップによる切替直前の前記第一アンテナの受信電界強度情報及び前記切替ステップによる切替後の前記第二のアンテナの受信電界強度情報に基づいてアンテナ選択をなすステップとを有することを特徴とする請求項２０〜２３いずれか記載のアンテナ選択方法。
【請求項２５】
複数のアンテナを有する無線通信装置におけるアンテナ選択方法の動作をコンピュータに実行させるためのプログラムであって、前記装置におけるイベントの発生に応答して、前記複数のアンテナの受信特性情報に基づいてアンテナ選択制御をなす処理を含むことを特徴とするプログラム。
【請求項２６】
複数のアンテナを有する無線通信装置におけるアンテナ選択方法の動作をコンピュータに実行させるためのプログラムであって、共通チャネルによる通信中における前記複数のアンテナの受信特性情報に基づいてアンテナ選択制御をなす処理を含むことを特徴とするプログラム。
【請求項２７】
複数のアンテナを有するＷ−ＣＤＭＡ方式の無線通信装置におけるアンテナ選択システムであって、前記複数のアンテナの受信電界強度情報に基づいてアンテナ選択制御をなすようしにたことを特徴とするアンテナ選択システム。
【請求項２８】
前記無線通信装置は携帯型情報端末であることを特徴とする請求項２７記載のアンテナ選択システム。
【発明の詳細な説明】
【技術分野】
【０００１】
本発明はアンテナ選択システム及びその方法並びにそれを用いた無線通信装置に関し、特に複数のアンテナのうちから一つを選択制御するようにしたアンテナ選択方式に関するものである。
【背景技術】
【０００２】
携帯電話機の用途の多様化により、単に通話をするのみでなく、電子メールを書く、Ｗｅｂのサイトを閲覧するなどの使用が増加しており、このような使用状態においては、携帯電話機の筐体を手で覆い隠すように把持するケースが増えてきている。一方で、携帯電話の筐体のスリム化志向に伴い、従来のホイップアンテナが突き出すようなデザインよりも、アンテナ自体を筐体内に内蔵することが望まれるようになっている。このような場合、内蔵アンテナの位置は固定であるため、上記のような把持の仕方によってはアンテナが覆い隠されてしまい、よい良好なアンテナ特性が発揮されなくなる。また、筐体を二つに折り畳むことができる折畳み型携帯電話機が主流である昨今、筐体の開閉状態によって、内蔵アンテナの特性が変わってしまうこともありうる。
【０００３】
この場合、ユーザの視点から見た通信品質とは、発信成功率、着信成功率、通信維持率が主であるが、上記のような様々な使用態様に応じて、これらの通信品質を保証するためには、アンテナを２本内蔵し、この２本のアンテナを使用態様により切替えて選択するアルゴリズムが必須となる。
【０００４】
ここで、特許文献１を参照すると、周波数ホッピング方式により通信を行うダイバシティ通信装置において、２つのアンテナからの受信特性を、ＲＳＳＩ（Received Signal Strength Indicator）により得て、このＲＳＳＩの情報に基づいてアンテナの選択制御を行う技術が開示されている。
【特許文献１】特開２００２−３２５０５６号公報
【発明の開示】
【発明が解決しようとする課題】
【０００５】
上述したような２本の内蔵アンテナを有する携帯電話機において、上述した発信成功率の向上のためには、発信動作直後のアンテナ選択を、また上述した着信成功率の向上のためには、着信動作直後のアンテナ選択を、さらには上述した通信維持率の向上のためには、通信中のアンテナ選択を、それぞれに最適に行うことが要求されることになる。
【０００６】
しかしながら、従来の方式では、アンテナ選択のアルゴリズムの実行は、待受け中や圏外時などに限定されており、通信開始時や通信中などのダイナミックなアンテナ選択が不可能となっている。これは、ＣＤＭＡ（Ｗ−ＣＤＭＡを含む）方式の特徴上、１０ｍｓｅｃ単位でサンプリングされた受信信号を逆拡散し、デコードすることによって得られる特定セルの品質を判定基準として用いる（デコード出力をアンテナ選択判定に用いた方式）ために、アンテナ選択アルゴリズムの実行には時間がかかるという欠点がある。よって、ＣＤＭＡ方式の携帯電話機において、通信開始時や通信中など、アンテナ選択アルゴリズムの高速性が要求される場面においては、判定速度が遅い、上述したデコード出力をアンテナ選択判定に用いた方式を適用することは困難となる。
【０００７】
上記の特許文献１の技術においては、周波数ホッピング方式のダイバーシティ通信装置におけるアンテナ切替方式であり、周波数ホッピングのタイミングでアンテナ選択制御を行っており、上述したＣＤＭＡ方式の携帯電話機で要求される、発信動作直後のアンテナ選択、着信動作直後のアンテナ選択、通信中のアンテナ選択は何等考慮されていない。
【０００８】
本発明の目的は、高速でのアンテナ選択制御が要求される通信開始時や通信中などアンテナ選択制御に適したアンテナ選択システム及びその方法並びに無線通信装置及びその動作制御プログラムを提供することである。
【０００９】
本発明の他の目的は、発信動作直後のアンテナ選択、着信動作直後のアンテナ選択、通信中のアンテナ選択を実現可能としたダイバーシティ通信装置及びそのアンテナ選択方法を提供することである。
【課題を解決するための手段】
【００１０】
本発明によるアンテナ選択システムは、複数のアンテナを有する無線通信装置におけるアンテナ選択システムであって、前記装置におけるイベントの発生に応答して、前記複数のアンテナの受信特性情報に基づいてアンテナ選択制御をなす手段を含むことを特徴とする。また、本発明による無線通信装置は上記のアンテナ選択システムを備えたことを特徴とする。
【００１１】
本発明による他のアンテナ選択システムは、複数のアンテナを有する無線通信装置におけるアンテナ選択システムであって、共通チャネルによる通信中における前記複数のアンテナの受信特性情報に基づいてアンテナ選択制御をなす手段を含むことを特徴とする。
【００１２】
本発明によるアンテナ選択方法は、複数のアンテナを有する無線通信装置におけるアンテナ選択方法であって、前記装置におけるイベントの発生に応答して、前記複数のアンテナの受信特性情報に基づいてアンテナ選択制御をなすステップを含むことを特徴とする。
【００１３】
本発明による他のアンテナ選択方法は、複数のアンテナを有する無線通信装置におけるアンテナ選択方法であって、共通チャネルによる通信中における前記複数のアンテナの受信特性に応じてアンテナ選択制御をなすステップ含むことを特徴とする。
【００１４】
本発明によるプログラムは、複数のアンテナを有する無線通信装置におけるアンテナ選択方法の動作をコンピュータに実行させるためのプログラムであって、前記装置におけるイベントの発生に応答して、前記複数のアンテナの受信特性情報に基づいてアンテナ選択制御をなす処理を含むことを特徴とする。
【００１５】
本発明によるプ他のログラムは、複数のアンテナを有する無線通信装置におけるアンテナ選択方法の動作をコンピュータに実行させるためのプログラムであって、共通チャネルによる通信中における前記複数のアンテナの受信特性情報に基づいてアンテナ選択制御をなす処理を含むことを特徴とする。
【００１６】
本発明による他のアンテナ選択システムは、複数のアンテナを有するＷ−ＣＤＭＡ方式の無線通信装置におけるアンテナ選択システムであって、前記複数のアンテナの受信電界強度情報に基づいてアンテナ選択制御をなすようしにたことを特徴とする。
【００１７】
本発明の作用を述べる。携帯電話などの携帯型情報端末において、装置における各種イベントの発生に応答して、複数のアンテナのうち受信特性の良い一つのアンテナを選択するアンテナ選択アルゴリズム動作を実行するよう制御するものである。この場合のイベントの例としては、発信成功率、着信成功率、通信維持率の向上のために、発着信発生時（共通チャネルや個別チャネル設定時）、個別チャネルによる通信中の同期はずれ発生時などがある。また、共通チャネルによる通信中においても、アンテナ選択制御を実行して適切なアンテナ切替を行うことで、受信再開時の通信品質の向上が可能となる。
【発明の効果】
【００１８】
本発明によれば、携帯情報端末における各種イベントの発生に応答して、複数のアンテナのうち受信品質の良い一つのアンテナを選択するようにしたので、発信成功率、着信成功率、通信維持率の向上が可能となるという効果がある。
【００１９】
具体的には、発着信動作中に良いアンテナを選択できるので、呼損が少なくなり、また、通信中同期はずれ時に良いアンテナを選択できるので、再接続の成功率が高くなり、更に、通信中無受信時にアンテナを選択できるので、受信再開時により品質の良い環境が得られることになる。
【００２０】
また、ＣＤＭＡ方式の場合、逆拡散処理後のデコード出力を、アンテナ選択アルゴリズムの判定基準とする代りに、アンテナ受信電界強度情報であるＲＳＳＩ（Received Signal Strength Indicator）を用いることにより、高速のアンテナ選択動作が実現可能となるという効果もある。
【発明を実施するための最良の形態】
【００２１】
以下に、図面を参照しつつ本発明の実施の形態について説明する。図１は本発明の実施の形態のブロック図である。図１を参照すると、本発明の実施の形態を示すブロック図であり、本実施の形態における携帯電話機はＷ−ＣＤＭＡ（Wide band-Code Division Multiple Access ）方式の通信システムに用いられるものとし、２つのアンテナ１，２を内蔵するものとする。これ等２つのアンテナ１，２はアンテナスイッチ３により切替え制御が可能である。アンテナによる受信信号はデュプレクサ４を介してＲＦ受信部５へ入力され復調された後、Ａ／Ｄコンバータ６によりデジタル信号に変換される。
【００２２】
デジタル変換された信号はＡＧＣ（自動利得制御）部７によりＡＧＣ処理されて逆拡散部９へ入力され、デコード処理される。ＡＧＣ部７では、アンテナ端の受信電界強度（ＲＳＳＩ）が算出されるので、この受信電界強度（ＲＳＳＩ８として示す）と、逆拡散部９によるデコード出力とが品質監視部１０へ入力されて、アンテナの受信品質が監視される。また、逆拡散部９によるデコード出力はデータ処理部１１へ入力されて必要なデータ処理が施され、状態監視部１２及びＡＰＬ（アプリケーション）部１４へ入力される。
【００２３】
ＡＰＬ部１４は各種アプリケーションのためのプログラム手順に従って、アプリケーション処理をなすものであり、状態監視部１２は、品質監視部１０、データ処理部１１及びＡＰＬ部１４からの各種情報を受けてイベント発生等の装置状態の監視を行うものである。この状態監視部１２の出力により、アンテナ選択制御部１３が動作してアンテナスイッチ３の切替制御を行うことになる。なお、操作部１５はユーザ（利用者）とのインタフェースをなすものであり、携帯電話機への各種指令をユーザが入力する機能を有している。
【００２４】
アンテナ１，２を選択するアルゴリズムはソフトウェアによるが、図１のアンテナ選択制御部１３がその機能を有することになる。このアルゴリズムでは、以下の如き３つのケースについてアンテナ切替えを行ってその受信特性を示す情報であるＲＳＳＩを比較し、特性の良いアンテナを選択することにより、通信品質の向上を図るようになっている。
【００２５】
（１）チャネル設定時のアンテナ選択。
待ち受け中から、ユーザ操作による発信や着信等のイベント発生に応答した通信開始時において、図示せぬ基地局との間で共通チャネル、個別チャネルが設定されるが、このとき、ＡＧＣ部７においてＲＳＳＩ値（８）が高速に算出されるので、２つのアンテナ１，２のＲＳＳＩ値により、アンテナ受信特性を比較して、特性の良いアンテナを選択するようにする。これにより、発信や着信時における発信成功率や着信成功率が向上する。
【００２６】
（２）個別チャネル通信中の同期はずれ時のアンテナ選択
個別チャネルを用いて音声通信中にあるいはパケット通信中に、受信品質化により一時同期はずれ（同期はずれというイベント発生）が検出されたとき、ＡＧＣ部７により高速算出されたＲＳＳＩ値を用いて２つのアンテナ１，２の受信特性を比較し、特性の良いアンテナを選択するようにする。なお、この場合、同期はずれ時に限定するのはアンテナを切替える瞬間に必らず発生するデータエラーによる音声通話の途切れなどを考慮したものである。これにより、同期はずれ時に受信特性の良いアンテナを選択できるので、受信再開時に受信品質の良い環境が得られる。
【００２７】
（３）共通チャネル通信中のアンテナ選択。
ランダムアクセス可能な共通チャネルでのパケット通信中に、一定時間下りデータが受信できないとき、ＡＧＣ部７により高速算出されたＲＳＳＩ値を用いて２つのアンテナ１，２の受信特性を比較し、特性の良いアンテナを選択するようにする。共通チャネル通信中は、ユーザにより何等かの操作がないかぎり、受信データが得られることはないために、一定時間の受信データ無しが、受信品質によるものか、無操作によるものかは判定できないが、一定時間おきにアンテナ切替比較を行うことにより、通信中も適切なアンテナ選択ができ、通信維持率の向上が可能となる。
【００２８】
以下に、本発明の実施の形態の動作について、図２〜図５のフローチャートを用いて詳述する。なお、ＡＧＣ部７により高速に算出されるＲＳＳＩ値を用いて２つのアンテナ１，２の受信特性を比較する方法は、図２〜図５の動作において共通である。
【００２９】
先ず、上記（１）項のチャネル設定時におけるアンテナ選択アルゴリズムについて、図２及び図３のフローチャートを用いて説明する。なお、図２は、発着信というイベント発生に応答して、基地局との間で共通チャネルが設定される場合の動作を示すものであり、図３は図２の動作の後、すなわち基地局との間において共通チャネルが設定された後に、個別チャネルが設定される場合の動作を示すものである。
【００３０】
まず、図２を参照すると、アンテナ１で待ち受け中であるものとする。このとき、ユーザによる操作部１５を用いた発着信操作により共通チャネルが設定される（ステップＳ１，Ｓ２）。次に、アンテナ２に切替えが行われ（ステップＳ３）ＲＳＳＩ値の測定がなされる（ステップＳ４）。そして、アンテナ１に切替えが行われ（ステップＳ５）ＲＳＳＩ値の測定がなされる（ステップＳ６）。これ等両ＲＳＳＩ値の比較が行われ（ステップＳ７），ＲＳＳＩ値が大きい方のアンテナ、すなわち受信特性の良いアンテナが選択されることになる（ステップＳ８，Ｓ９）。
【００３１】
例えば、アンテナ１のＲＳＳＩ値がアンテナ２のＲＳＳＩ値以上であれば、現在選択中のアンテナ１がそのまま使用され、そうでなければ、アンテナ２が選択されるのである。なお、ステップＳ３において、待ち受け中のアンテナ１ではない他方のアンテナ２から先に切替えてＲＳＳＩ値を測定するのは、測定結果の比較後に、極力アンテナ切替が発生しないようにするためである。すなわち、現在のアンテナを選択使用する確率が高いと予測されるからである。
【００３２】
次に、図３を参照すると、図２の動作による共通チャネル設定時において、アンテナ１が選択されていたとする。続いて、個別チャネルが設定されると（ステップＳ１１）、アンテナ２への切替えが行われ（ステップＳ１２）、ＲＳＳＩ値の測定がなされる（ステップＳ１３）。次に、アンテナ１への切替えが行われ（ステップＳ１４）、ＲＳＳＩ値の測定が行われる（ステップＳ１５）。そして、これ等両ＲＳＳＩ値の比較が行われ（ステップＳ１６）、受信特性の良いアンテナが選択される（ステップＳ１７，Ｓ１８）。すなわち、アンテナ１のＲＳＳＩ値がアンテナ２のＲＳＳＩ値以上であれば、現在選択中のアンテナ１がそのまま使用され、そうでなければ、アンテナ２が選択されることになる。
【００３３】
発着信時は、図２の動作に続いて図３の動作がなされるので、２回のアンテナ切替え及び２回のＲＳＳＩ比較がそれぞれ連続して発生することになるが、これは瞬時のＲＳＳＩ値のばらつきによる選択誤りを補正する効果がある。
【００３４】
次に、上記（２）項の個別チャネル通信中の同期はずれ時におけるアンテナ選択アルゴリズムについて、図４のフローチャートを参照して説明する。この場合、アンテナ１により個別チャネルによる通信中であるとする。通信中には、常に受信データの品質の閾値判定が、図１の品質監視部１０にて行われており（ステップＳ２１）、この判定で受信品質が閾値より小であれば、状態監視部１２において同期はずれ監視状態（この状態も、一種のイベントである）へ移行する（ステップＳ２２）。この同期はずれ監視状態では、例えばある時間以上、受信品質が閾値より小なる状態が続けば同期はずれであると検出されることになる。
【００３５】
同期はずれであると検出されると、アンテナ２に切替えられ（ステップＳ２３）、ＲＳＳＩ値の測定が行われる（ステップＳ２４）。アンテナ１のＲＳＳＩ値については、通信中は常時その測定が行われているので既知であり、新たに測定する必要はない。よって、これ等両ＲＳＳＩ値が比較され（ステップＳ２５）、受信特性の良いアンテナが選択されることになる（ステップＳ２６）。すなわち、アンテナ２のＲＳＳＩ値がアンテナ１のＲＳＳＩ値以上であれば、現在選択中のアンテナ２がそのまま使用され、そうでなければ、アンテナ１が選択されることになる。
【００３６】
次に、上記（３）項の共通チャネル通信中のアンテナ選択アルゴリズムについて、図５のフローチャートを用いて説明する。このとき、アンテナ１により共通チャネルを用いた通信中であるとする。共通チャネル通信中にデータ無受信の監視が状態監視部１２にて開始される（ステップＳ３１）。データ無受信状態が検出されると（ステップＳ３２）、タイマスタートとなり（ステップＳ３３）、タイマがタイムアウトした場合（一定時間経過した場合）、（ステップＳ３４）、もう一方のアンテナ２に切替えられて（ステップＳ３６）、このアンテナ２のＲＳＳＩ値が測定される（ステップＳ３７）。なお、現在のアンテナ１のＲＳＳＩ値は既知である。よって、これ等両ＲＳＳＩ値の比較が行われ（ステップＳ３８）、受信性の良いアンテナが選択される（ステップＳ３９、Ｓ４０）。
【００３７】
すなわち、アンテナ２のＲＳＳＩ値がアンテナ１のＲＳＳＩ値以上であれば、現在選択中のアンテナ２がそのまま使用され、そうでなければ、アンテナ１が選択されることになる。なお、ステップＳ３４において、タイムアウトでなければ、データの有無が検出され（ステップＳ３５）、データ無しであればタイムアウトを待ち、データ有ればステップＳ３１へ戻ることになる。
【００３８】
また、待ち受け中（受信待機状態）においても、上述した高速なＲＳＳＩによるアンテナ選択処理を、周期的に実行することにより、着信率の向上が期待できる。従来のような特定セルの通信品質によるアンテナ選択方式では、逆拡散してデコード処理したセルを用いるために、長時間の動作を必要とするので、連続待ち受け時間を犠牲にする恐れがあったが、本発明ではＲＳＳＩ値を用いる高速のアンテナ選択を行うことができるので、待ち受け時間への影響を最小限に止めることができることになる。なお、この場合、待ち受け状態も装置における一つのイベントとみなすことができ、よって、待ち受け状態になったとき（イベントが発生したとき）、周期的に上述のアンテナ選択アルゴリズムを実行するようにすれば良い。
【００３９】
なお、Ｗ−ＣＤＭＡ方式の受信部において、アンテナ受信特性の基準とするためには、従来では、ＲＦ受信信号ではなく、このＲＦ受信信号を周波数のダウンコンバートを行って逆拡散し、デコードした後のベースバンド信号を用いていたのは、Ｗ−ＣＤＭＡ方式の受信周波数には、他の携帯端末に対する情報も含まれている理由からであった。しかしながら、実際には、ＲＦ受信信号に基づくＲＳＳＩ値を用いても、その値とベースバンド信号のレベルとの間には相関性があり、よって本発明では、上述の様に、高速に得られるＲＳＳＩ値をアンテナ選択アルゴリズムの判定技術である受信特性としているのである。
【００４０】
上記に示した各動作フローは、予め動作手順をプログラムとして記録媒体に格納しておき、これをコンピュータにより読取らせて実行させるようにしても良いことは勿論である。なお、上記実施の形態は、ホイップアンテナが筐体から突出していないスリム化された折畳み型Ｗ−ＣＤＭＡ方式の携帯電話機に用いて好適であるが、これに限定されることなく、他の形態のＣＤＭＡ方式や他の通信方式の携帯型通信装置に適用可能である。
【図面の簡単な説明】
【００４１】
【図１】本発明の実施の形態のブロック図である。
【図２】本発明の一実施の形態の動作を示すフロー図である。
【図３】本発明の他の実施の形態の動作を示すフロー図である。
【図４】本発明の更に他の実施の形態の動作を示すフロー図である。
【図５】本発明の別の実施の形態の動作を示すフロー図である。
【符号の説明】
【００４２】
１，２  アンテナ
３  アンテナスイッチ
４  デュプレクサ
５  ＲＦ受信部
６  Ａ／Ｄ（アナログ／デジタル変換器）
７  ＡＧＣ部
８  ＲＳＳＩ
９  逆拡散部
１０  品質監視部
１１  データ処理部
１２  状態監視部
１３  アンテナ選択制御部
１４  ＡＰＬ部
１５  操作部
１６  送信部
【図１】
2005151369.tif 000003
【図２】
2005151369.tif 000004
【図３】
2005151369.tif 000005
【図４】
2005151369.tif 000006
【図５】
2005151369.tif 000007